(57)【特許請求の範囲】
【請求項１】
球状のコアとこのコアの外側に位置するカバーとを備えており、このコアが球状のセンターとこのセンターの外側に位置する中間層とを備えたゴルフボールであって、
中間層が、金属酸化物を含有するポリマー組成物からなり、
この金属酸化物が、第一針状部、第二針状部及び第三針状部を備え、かつ、第一針状部の軸及び第二針状部の軸を含む平面に、第三針状部の軸が含まれない形状を呈しており、
中間層のショアＤ硬度が３２以上３９以下であり、
センターの圧縮変形量Ｃ１とコアの圧縮変形量Ｃ２との比（Ｃ１／Ｃ２）が１．０９未満であり、
センターの圧縮変形量Ｃ１とゴルフボールの圧縮変形量Ｃ３との比（Ｃ１／Ｃ３）が１．１８以上であり、
その表面に、互いに直径の異なる３種以上のディンプルを備えており、
このディンプルの総数が３００個以上であり、
この総数に対するその直径が３．４０ｍｍ以上であるディンプルの数の比率Ｐｎが９０％以上であり、
ディンプルの種類数ＮＬ及びＮＨが下記数式（Ｉ）を満たし、
ディンプルの種類数ＮＬ、ＮＨｍ及びＮＨｐが下記数式(II)を満たすゴルフボール。
ＮＬ−ＮＨ ≧ ０      （Ｉ）
（この数式（Ｉ）において、ＮＬはその緯度が０°以上３０°未満である低緯度領域に存在しかつその直径が３．４０ｍｍ以上であるディンプルの種類数を表し、ＮＨはその緯度が３０°以上９０°以下である高緯度領域に存在しかつその直径が３．４０ｍｍ以上であるディンプルの種類数を表す。）
ＮＬ ＞ ＮＨｍ ≧ ＮＨｐ      （II）
（この数式（II）において、ＮＬはその緯度が０°以上３０°未満である低緯度領域に存在しかつその直径が３．４０ｍｍ以上であるディンプルの種類数を表し、ＮＨｍはその緯度が３０°以上６０°未満である中間領域に存在しかつその直径が３．４０ｍｍ以上であるディンプルの種類数を表し、ＮＨｐはその緯度が６０°以上９０°以下である極領域に存在しかつその直径が３．４０ｍｍ以上であるディンプルの種類数を表す。）
【請求項２】
上記圧縮変形量Ｃ３が３．２ｍｍ以上３．８ｍｍ以下である請求項１に記載のゴルフボール。
【請求項３】
上記ディンプルの種類数ＮＬ、ＮＨｍ及びＮＨｐが下記数式（III)を満たす請求項１又は２に記載のゴルフボール。
ＮＬ ＞ ＮＨｍ ＞ ＮＨｐ      （III)
【請求項４】
上記ディンプルの種類数Ｎ１からＮ９が、下記数式（IV）を満たす請求項１から３のいずれかに記載のゴルフボール。
Ｎ１ ≧ Ｎ２ ≧ Ｎ３ ＞ Ｎ４ ≧ Ｎ５ ≧ Ｎ６ ≧ Ｎ７ ≧ Ｎ８ ≧ Ｎ９    （IV）
（この数式（IV）において、Ｎ１はその緯度が０°以上１０°未満である第一領域に存在しかつその直径が３．４０ｍｍ以上であるディンプルの種類数を表し、Ｎ２はその緯度が１０°以上２０°未満である第二領域に存在しかつその直径が３．４０ｍｍ以上であるディンプルの種類数を表し、Ｎ３はその緯度が２０°以上３０°未満である第三領域に存在しかつその直径が３．４０ｍｍ以上であるディンプルの種類数を表し、Ｎ４はその緯度が３０°以上４０°未満である第四領域に存在しかつその直径が３．４０ｍｍ以上であるディンプルの種類数を表し、Ｎ５はその緯度が４０°以上５０°未満である第五領域に存在しかつその直径が３．４０ｍｍ以上であるディンプルの種類数を表し、Ｎ６はその緯度が５０°以上６０°未満である第六領域に存在しかつその直径が３．４０ｍｍ以上であるディンプルの種類数を表し、Ｎ７はその緯度が６０°以上７０°未満である第七領域に存在しかつその直径が３．４０ｍｍ以上であるディンプルの種類数を表し、Ｎ８はその緯度が７０°以上８０°未満である第八領域に存在しかつその直径が３．４０ｍｍ以上であるディンプルの種類数を表し、Ｎ９はその緯度が８０°以上９０°以下である第九領域に存在しかつその直径が３．４０ｍｍ以上であるディンプルの種類数を表す。）
【請求項５】
上記金属酸化物が、三角錐の４つの頂点をそれぞれ一端とする４つの針状部を備え、これら４つの針状部の他端全てがこの三角錐の内部に存在する一点に位置している請求項１から４のいずれかに記載のゴルフボール。
【発明の詳細な説明】
【技術分野】
【０００１】
本発明は、ゴルフボールに関する。詳細には、本発明は、センター、中間層及びカバーを備えたマルチピースゴルフボールに関する。
【背景技術】
【０００２】
ゴルフボールは、その表面に多数のディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００３】
ゴルフボールの成形型は、上型と下型とからなる。上型及び下型は、それぞれ半球状のキャビティ面を備えている。上型と下型とが合わされると、球状のキャビティが形成される。この成形型は、上型と下型との間にパーティングラインを備えている。パーティングラインは、大円である。ゴルフボールの表面において、パーティングラインに相当する箇所は、赤道（又はシーム）と称されている。赤道は、大円である。この赤道の近傍は、ゴルフボールの表面において特異な領域である。赤道の近傍では、ディンプルが整然と並ぶ傾向がある。ディンプルが整然と並ぶことにより、ディンプル効果が阻害される。赤道近傍領域の特異性の解消を目的とした提案が、特開２０００−９３５５６公報に開示されている。
【０００４】
ゴルフボールの飛行性能は、その反発性能にも大きく依存する。特開平１０−１７９７９９号公報には、コアにホウ酸アルミニウムからなるウィスカーが配合されたゴルフボールが開示されている。このゴルフボールは、反発性能に優れる。
【０００５】
ゴルフボールにとって、飛行性能と共に、打球感も重要である。特開２０００−７０４１２公報には、圧縮変形量が適正化されたゴルフボールが開示されている。このゴルフボールは、打球感に優れる。
【０００６】
さらにゴルフボールにとって、耐久性も重要である。特開２００２−２３９０３３公報には、カバーが２層からなるゴルフボールが開示されている。このゴルフボールは、打球感及び耐久性に優れる。
【特許文献１】特開２０００−９３５５６公報
【特許文献２】特開平１０−１７９７９９号公報
【特許文献３】特開２０００−７０４１２公報
【特許文献４】特開２００２−２３９０３３公報
【発明の開示】
【発明が解決しようとする課題】
【０００７】
ゴルファーは、ゴルフボールの諸性能のさらなる向上を望んでいる。本発明の目的は、飛行性能、打球感及び耐久性に優れたゴルフボールの提供にある。
【課題を解決するための手段】
【０００８】
本発明に係るゴルフボールは、球状のコアとこのコアの外側に位置するカバーとを備える。このコアは、球状のセンターとこのセンターの外側に位置する中間層とを備える。中間層は、三次元形状を呈する金属酸化物を含有するポリマー組成物からなる。中間層のＤ硬度は、３２以上３９以下である。センターの圧縮変形量Ｃ１とコアの圧縮変形量Ｃ２との比（Ｃ１／Ｃ２）は、１．０９未満である。センターの圧縮変形量Ｃ１とゴルフボールの圧縮変形量Ｃ３との比（Ｃ１／Ｃ３）は、１．１８以上である。このゴルフボールは、その表面に、互いに直径の異なる３種以上のディンプルを備える。このディンプルの総数は、３００個以上である。この総数に対するその直径が３．４０ｍｍ以上であるディンプルの数の比率Ｐｎは、９０％以上である。ディンプルの種類数ＮＬ及びＮＨは、下記数式（Ｉ）を満たす。
ＮＬ−ＮＨ ≧ ０      （Ｉ）
この数式（Ｉ）において、ＮＬはその緯度が０°以上３０°未満である低緯度領域に存在しかつその直径が３．４０ｍｍ以上であるディンプルの種類数を表し、ＮＨはその緯度が３０°以上９０°以下である高緯度領域に存在しかつその直径が３．４０ｍｍ以上であるディンプルの種類数を表す。ディンプルの種類数ＮＬ、ＮＨｍ及びＮＨｐは、下記数式(II)を満たす。
ＮＬ ＞ ＮＨｍ ≧ ＮＨｐ      （II）
この数式（II）において、ＮＬはその緯度が０°以上３０°未満である低緯度領域に存在しかつその直径が３．４０ｍｍ以上であるディンプルの種類数を表し、ＮＨｍはその緯度が３０°以上６０°未満である中間領域に存在しかつその直径が３．４０ｍｍ以上であるディンプルの種類数を表し、ＮＨｐはその緯度が６０°以上９０°以下である極領域に存在しかつその直径が３．４０ｍｍ以上であるディンプルの種類数を表す。
【０００９】
好ましくは、ゴルフボールの圧縮変形量Ｃ３は、３．２ｍｍ以上３．８ｍｍ以下である。
【００１０】
好ましくは、ディンプルの種類数ＮＬ、ＮＨｍ及びＮＨｐは、下記数式（III)を満たす。
ＮＬ ＞ ＮＨｍ ＞ ＮＨｐ      （III)
【００１１】
好ましくは、ディンプルの種類数Ｎ１からＮ９は、下記数式（IV）を満たす。
Ｎ１ ≧ Ｎ２ ≧ Ｎ３ ＞ Ｎ４ ≧ Ｎ５ ≧ Ｎ６ ≧ Ｎ７ ≧ Ｎ８ ≧ Ｎ９    （IV）
この数式（III)において、Ｎ１はその緯度が０°以上１０°未満である第一領域に存在しかつその直径が３．４０ｍｍ以上であるディンプルの種類数を表し、Ｎ２はその緯度が１０°以上２０°未満である第二領域に存在しかつその直径が３．４０ｍｍ以上であるディンプルの種類数を表し、Ｎ３はその緯度が２０°以上３０°未満である第三領域に存在しかつその直径が３．４０ｍｍ以上であるディンプルの種類数を表し、Ｎ４はその緯度が３０°以上４０°未満である第四領域に存在しかつその直径が３．４０ｍｍ以上であるディンプルの種類数を表し、Ｎ５はその緯度が４０°以上５０°未満である第五領域に存在しかつその直径が３．４０ｍｍ以上であるディンプルの種類数を表し、Ｎ６はその緯度が５０°以上６０°未満である第六領域に存在しかつその直径が３．４０ｍｍ以上であるディンプルの種類数を表し、Ｎ７はその緯度が６０°以上７０°未満である第七領域に存在しかつその直径が３．４０ｍｍ以上であるディンプルの種類数を表し、Ｎ８はその緯度が７０°以上８０°未満である第八領域に存在しかつその直径が３．４０ｍｍ以上であるディンプルの種類数を表し、Ｎ９はその緯度が８０°以上９０°以下である第九領域に存在しかつその直径が３．４０ｍｍ以上であるディンプルの種類数を表す。
【発明の効果】
【００１２】
このゴルフボールでは、低緯度領域（すなわち赤道近傍）に存在するディンプルの種類数が多いことにより、この低緯度領域におけるディンプル効果が促進される。このゴルフボールでは、三次元形状を呈する金属酸化物を含む中間層が、反発性能に寄与する。大きなディンプル効果と大きな反発性能とにより、大きな飛距離が得られる。この金属酸化物は、打球感及び耐久性を阻害しない。このゴルフボールは、飛行性能、打球感及び耐久性の全てに優れる。
【発明を実施するための最良の形態】
【００１３】
以下、適宜図面が参照されつつ、好ましい実施形態に基づいて本発明が詳細に説明される。
【００１４】
図１は、本発明の一実施形態に係るゴルフボール２が示された模式的断面図である。このゴルフボール２は、球状のコア４と、このコア４を覆うカバー６とを備えている。コア４は、球状のセンター８と、このセンター８を覆う中間層１０とからなる。カバー６の表面には、多数のディンプル１２が形成されている。ゴルフボール２の表面のうちディンプル１２以外の部分は、ランド１４である。このゴルフボール２は、カバー６の外側にペイント層及びマーク層を備えているが、これらの層の図示は省略されている。センター８と中間層１０との間に、他の層が形成されてもよい。中間層１０とカバー６との間に、他の層が設けられてもよい。
【００１５】
このゴルフボール２の直径は、４０ｍｍ以上４５ｍｍ以下である。米国ゴルフ協会（ＵＳＧＡ）の規格が満たされるとの観点から、直径は４２．６７ｍｍ以上がより好ましい。空気抵抗抑制の観点から、直径は４４ｍｍ以下がより好ましく、４２．８０ｍｍ以下が特に好ましい。このゴルフボール２の質量は、４０ｇ以上５０ｇ以下である。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下がより好ましい。
【００１６】
センター８は、ゴム組成物が架橋されることで得られる。好ましい基材ゴムとして、ポリブタジエン、ポリイソプレン、スチレン−ブタジエン共重合体、エチレン−プロピレン−ジエン共重合体及び天然ゴムが例示される。反発性能の観点から、ポリブタジエンが好ましい。ポリブタジエンと他のゴムとが併用される場合は、ポリブタジエンが主成分とされるのが好ましい。具体的には、全基材ゴムに占めるポリブタジエンの比率が５０質量％以上、特には８０質量％以上とされるのが好ましい。シス−１，４結合の比率が４０％以上、特には８０％以上であるポリブタジエンが好ましい。
【００１７】
センター８の架橋には、好ましくは、共架橋剤が用いられる。反発性能の観点から好ましい共架橋剤は、炭素数が２から８であるα，β−不飽和カルボン酸の、１価又は２価の金属塩である。好ましい共架橋剤の具体例としては、アクリル酸亜鉛、アクリル酸マグネシウム、メタクリル酸亜鉛及びメタクリル酸マグネシウムが挙げられる。高い反発性能が得られるという理由から、アクリル酸亜鉛及びメタクリル酸亜鉛が特に好ましい。
【００１８】
共架橋剤として、炭素数が２から８であるα，β−不飽和カルボン酸と酸化金属とが配合されてもよい。両者はゴム組成物中で反応し、塩が得られる。この塩が、架橋反応に寄与する。好ましいα，β−不飽和カルボン酸としては、アクリル酸及びメタクリル酸が挙げられる。好ましい酸化金属としては、酸化亜鉛及び酸化マグネシウムが挙げられる。
【００１９】
ゴルフボール２の反発性能の観点から、共架橋剤の配合量は、基材ゴム１００質量部に対して１０質量部以上が好ましく、１５質量部以上がより好ましい。ソフトな打球感の観点から、共架橋剤の配合量は、基材ゴム１００質量部に対して５０質量部以下が好ましく、４５質量部以下がより好ましい。
【００２０】
好ましくは、センター８のゴム組成物は、共架橋剤と共に有機過酸化物を含む。有機過酸化物は、架橋開始剤として機能する。有機過酸化物は、、ゴルフボール２の反発性能に寄与する。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。特に汎用性の高い有機過酸化物は、ジクミルパーオキサイドである。
【００２１】
ゴルフボール２の反発性能の観点から、有機過酸化物の配合量は、基材ゴム１００質量部に対して０．１質量部以上が好ましく、０．３質量部以上がより好ましく、０．５質量部以上が特に好ましい。ソフトな打球感の観点から、有機過酸化物の配合量は、基材ゴム１００質量部に対して３．０質量部以下が好ましく、２．８質量部以下がより好ましく、２．５質量部以下が特に好ましい。
【００２２】
好ましくは、センター８のゴム組成物は、有機硫黄化合物を含む。好ましい有機硫黄化合物としては、ジフェニルジスルフィド、ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド、ビス（４−シアノフェニル）ジスルフィド等のモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィド等のジ置換体；ビス（２，４，６−トリクロロフェニル）ジスルフィド、ビス（２−シアノ−４−クロロ−６−ブロモフェニル）ジスルフィド等のトリ置換体；ビス（２，３，５，６−テトラクロロフェニル）ジスルフィド等のテトラ置換体；及びビス（２，３，４，５，６−ペンタクロロフェニル）ジスルフィド、ビス（２，３，４，５，６−ペンタブロモフェニル）ジスルフィド等のペンタ置換体が例示される。有機硫黄化合物は、反発性能に寄与する。特に好ましい有機硫黄化合物は、ジフェニルジスルフィド及びビス（ペンタブロモフェニル）ジスルフィドである。
【００２３】
ゴルフボール２の反発性能の観点から、有機硫黄化合物の配合量は、基材ゴム１００質量部に対して０．１質量部以上が好ましく、０．２質量部以上がより好ましい。ソフトな打球感の観点から、有機硫黄化合物の配合量は、基材ゴム１００質量部に対して１．５０質量部以下が好ましく、１．０質量部以下がより好ましく、０．８質量部以下が特に好ましい。
【００２４】
センター８に、比重調整等の目的で充填剤が配合されてもよい。好適な充填剤としては、酸化亜鉛、硫酸バリウム、炭酸カルシウム及び炭酸マグネシウムが例示される。充填剤として、高比重金属からなる粉末が配合されてもよい。高比重金属の具体例としては、タングステン及びモリブデンが挙げられる。充填剤の配合量は、センター８の意図した比重が達成されるように適宜決定される。特に好ましい充填剤は、酸化亜鉛である。酸化亜鉛は、単なる比重調整のみならず架橋助剤としても機能する。センター８には、硫黄、硫黄化合物、老化防止剤、着色剤、可塑剤、分散剤等の各種添加剤が、必要に応じて適量配合される。センター８に、架橋ゴム粉末又は合成樹脂粉末が配合されてもよい。
【００２５】
センター８の直径は、３０．０ｍｍ以上４１．０ｍｍ以下が好ましい。直径が３０．０ｍｍ以上であるセンター８は、反発性能に寄与する。この観点から、直径は３３．０ｍｍ以上がより好ましい。直径が４１．０ｍｍ以下に設定されることにより、中間層１０及びカバー６が耐久性に寄与しうる。この観点から、直径は４０．５ｍｍ以下がより好ましい。センター８が、２以上の層を備えてもよい。
【００２６】
センター８の圧縮変形量Ｃ１は、３．６ｍｍ以上５．０ｍｍ以下が好ましい。圧縮変形量Ｃ１が３．６ｍｍ以上であるセンター８は、ソフトな打球感に寄与する。この観点から、圧縮変形量Ｃ１は３．７ｍｍ以上がより好ましく、３．８ｍｍ以上が特に好ましい。圧縮変形量Ｃ１が５．０ｍｍ以下であるセンター８は、ゴルフボール２の反発性能及び耐久性に寄与する。この観点から、圧縮変形量Ｃ１は４．９ｍｍ以下がより好ましく、４．８ｍｍ以下が特に好ましい。
【００２７】
圧縮変形量の測定では、まず球体（すなわちセンター８、コア４又はゴルフボール２）が金属製の剛板の上に置かれる。次に、球体に向かって金属製の円柱が徐々に降下する。この円柱の底面と剛板との間に挟まれた球体は、変形する。球体に９８Ｎの初荷重がかかった状態から１２７４Ｎの終荷重がかかった状態までの円柱の移動距離が、圧縮変形量である。
【００２８】
センター８の表面硬度は、４５以上６５以下が好ましい。表面硬度が４５以上であるセンター８は、反発性能に寄与する。この観点から、表面硬度は４７以上がより好ましく、５０以上が特に好ましい。表面硬度が６５以下であるセンター８は、打球感に寄与する。さらに、表面硬度が６５以下であるセンター８は、スピンの抑制にも寄与する。この観点から、表面硬度は６３以下がより好ましく、６０以下が特に好ましい。表面硬度は、自動ゴム硬度測定装置（高分子計器社の商品名「ＬＡ１」）に取り付けられたショアＤ型スプリング式硬度計がセンター８の表面に押しつけられることで測定される。
【００２９】
センター８の質量は、２５ｇ以上４２ｇ以下が好ましい。センター８の架橋温度は、通常は１４０℃以上１８０℃以下である。センター８の架橋時間は、通常は１０分以上６０分以下である。センターが２以上の層から形成されてもよい。
【００３０】
中間層１０は、樹脂組成物からなる。樹脂組成物の好ましい基材樹脂は、スチレンブロック含有熱可塑性エラストマー及びアイオノマー樹脂である。スチレンブロック含有熱可塑性エラストマーは、ゴルフボール２の打球感に寄与する。アイオノマー樹脂は、ゴルフボール２の反発性能に寄与する。スチレンブロック含有熱可塑性エラストマー及びアイオノマー樹脂が併用されることが、好ましい。
【００３１】
スチレンブロック含有熱可塑性エラストマーは、ハードセグメントとしてのポリスチレンブロックと、ソフトセグメントとを備えている。典型的なソフトセグメントは、ジエンブロックである。スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００３２】
ゴルフボール２の反発性能の観点から、熱可塑性エラストマーにおけるスチレン成分の含有率は１０質量％以上が好ましく、１２質量％以上がより好ましく、１５質量％以上が特に好ましい。ゴルフボール２の打球感の観点から、含有率は５０質量％以下が好ましく、４７質量％以下がより好ましく、４５質量％以下が特に好ましい。
【００３３】
本発明において、スチレンブロック含有熱可塑性エラストマーには、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、オレフィンとのアロイが含まれる。このアロイ中のオレフィン成分は、他の基材ポリマーとの相溶性向上に寄与すると推測される。このアロイが用いられることにより、ゴルフボール２の反発性能が向上する。好ましくは、炭素数が２以上１０以下のオレフィンが用いられる。好適なオレフィンとしては、エチレン、プロピレン、ブテン及びペンテンが例示される。エチレン及びプロピレンが特に好ましい。
【００３４】
ポリマーアロイの具体例としては、三菱化学社の商品名「ラバロンＴ３２２１Ｃ」、「ラバロンＴ３３３９Ｃ」、「ラバロンＳＪ４４００Ｎ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。スチレンブロック含有熱可塑性エラストマーの他の具体例としては、ダイセル化学工業社の商品名「エポフレンドＡ１０１０」及びクラレ社の商品名「セプトンＨＧ−２５２」が挙げられる。
【００３５】
打球感の観点から、スチレンブロック含有熱可塑性エラストマーの材料硬度は８未満が好ましく、６未満がより好ましく、５未満が特に好ましい。材料硬度の測定では、スチレンブロック含有熱可塑性エラストマーからなるスラブが用いられる。本発明では、特に断りのない限り、「ＡＳＴＭ−Ｄ  ２２４０−６８」の規定に準拠して、自動ゴム硬度測定装置（高分子計器社の商品名「ＬＡ１」）に取り付けられたショアＤ型スプリング式硬度計によって、硬度が測定される。測定には、熱プレスで成形された厚みが約２ｍｍであるスラブが用いられる。測定に先立ち、スラブは２３℃の温度下に２週間保管される。測定時には、３枚のスラブが重ね合わされる。スチレンブロック含有熱可塑性エラストマーの材料硬度の測定には、スチレンブロック含有熱可塑性エラストマーのみからなるスラブが用いられる。なお、ＪＩＳ−Ａ型スプリング式硬度計で測定された材料硬度は、６０未満が好ましく、４０未満がより好ましく、３０未満が特に好ましい。
【００３６】
好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。二元共重合体及び三元共重合体において、好ましいα−オレフィンはエチレン及びプロピレンであり、好ましいα，β−不飽和カルボン酸はアクリル酸及びメタクリル酸である。二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００３７】
好ましい二元共重合体は、８０質量％以上９０質量％以下のα−オレフィンと、１０質量％以上２０質量％以下のα，β−不飽和カルボン酸とを含む。この二元共重合体は、反発性能に優れる。好ましい三元共重合体は、７０質量％以上８５質量％以下のα−オレフィンと、５質量％以上３０質量％以下のα，β−不飽和カルボン酸と、１質量％以上２５質量％以下のα，β−不飽和カルボン酸エステルとを含む。この三元共重合体は、反発性能に優れる。特に好ましいアイオノマー樹脂は、エチレンと、アクリル酸又はメタクリル酸との共重合体である。
【００３８】
アイオノマー樹脂の具体例としては、三井デュポンポリケミカル社の商品名「ハイミラン１５５５」、「ハイミラン１５５７」、「ハイミラン１６０５」、「ハイミラン１７０６」、「ハイミラン１７０７」、「ハイミラン１８５６」、「ハイミラン１８５５」、「ハイミランＡＭ７３１１」、「ハイミランＡＭ７３１５」、「ハイミランＡＭ７３１７」、「ハイミランＡＭ７３１８」及び「ハイミランＭＫ７３２０」；デュポン社の商品名「サーリン６１２０」、「サーリン６９１０」、「サーリン７９３０」、「サーリン７９４０」、「サーリン８１４０」、「サーリン８１５０」、「サーリン８９４０」、「サーリン８９４５」、「サーリン９１２０」、「サーリン９１５０」、「サーリン９９１０」、「サーリン９９４５」及び「サーリンＡＤ８５４６」；並びにエクソンモービル化学社の商品名「ＩＯＴＥＫ７０１０」、「ＩＯＴＥＫ７０３０」、「ＩＯＴＥＫ７５１０」、「ＩＯＴＥＫ７５２０」、「ＩＯＴＥＫ８０００」及び「ＩＯＴＥＫ８０３０」が挙げられる。２種以上のアイオノマー樹脂が併用されてもよい。１価の金属イオンで中和されたアイオノマー樹脂と２価の金属イオンで中和されたアイオノマー樹脂とが併用されてもよい。
【００３９】
反発性能の観点から、アイオノマー樹脂の材料硬度は５０以上が好ましく、５３以上がより好ましく、５５以上が特に好ましい。打球感の観点から、アイオノマー樹脂の材料硬度は７０以下が好ましく、６７以下がより好ましく、６５以下が特に好ましい。アイオノマー樹脂の材料硬度の測定には、アイオノマー樹脂のみからなるスラブが用いられる。
【００４０】
スチレンブロック含有熱可塑性エラストマーとアイオノマー樹脂とが併用される場合、スチレンブロック含有熱可塑性エラストマーの全基材樹脂に対する比率は２０質量％以上６０質量％以下が好ましい。比率が２０質量％以上に設定されることにより、良好な打球感が得られる。この観点から、比率は２５質量％以上がより好ましく、３０質量％以上が特に好ましい。比率が６０質量％以下である中間層１０は、反発性能を阻害しない。この観点から、比率は５５質量％以下がより好ましく、５０質量％以下が特に好ましい。
【００４１】
スチレンブロック含有熱可塑性エラストマーとアイオノマー樹脂とが併用される場合、アイオノマー樹脂の全基材樹脂に対する比率は４０質量％以上８０質量％以下が好ましい。比率が４０質量％以上に設定されることにより、良好な反発性能が得られる。この観点から、比率は４５質量％以上がより好ましく、５０質量％以上が特に好ましい。比率が８０質量％以下である中間層１０は、打球感を阻害しない。この観点から、比率は７５質量％以下がより好ましく、７０質量％以下が特に好ましい。
【００４２】
スチレンブロック含有熱可塑性エラストマーとアイオノマー樹脂とが併用される場合、両者の合計量の全基材樹脂に対する比率は９０質量％以上が好ましい。この比率は、理想的には１００％である。
【００４３】
中間層１０に、スチレンブロック含有熱可塑性エラストマー又はアイオノマー樹脂と共に、他の樹脂が用いられてもよい。他の樹脂としては、熱可塑性ポリエステルエラストマー、熱可塑性ポリアミドエラストマー、熱可塑性ポリウレタンエラストマー及び熱可塑性ポリオレフィンエラストマーが例示される。
【００４４】
中間層１０の樹脂組成物は、三次元形状を呈する金属酸化物を含有する。この金属酸化物は、３以上の針状部を備えている。三次元形状とは、第一針状部の軸及び第二針状部の軸を含む平面に、第三針状部の軸が含まれない形状を意味する。
【００４５】
図２に、好ましい金属酸化物１６が示されている。この金属酸化物１６は、三角錐１８の４つの頂点２０をそれぞれ一端とする４つの針状部２２を備える。これら４つの針状部２２の他端は全て、三角錐の内部に存在する点に位置している。この点から、４つの軸が、三角錐の４つの頂点２０に向かって伸びている。この金属酸化物１６は、テトラポッド（登録商標）に類似の形状を呈する。好ましくは、この金属酸化物１６は、針状結晶である。好ましくは、三角錐１８は正四面体であり、針状部２２の他端はこの正四面体の中心に位置する。４つの針状部２２の長さは、実質的に同一である。
【００４６】
三次元形状を呈しうる金属酸化物１６としては、酸化亜鉛、酸化チタン、硫酸バリウム及びタルクが例示される。好ましい金属酸化物１６は、酸化亜鉛である。好ましい金属酸化物１６の具体例としては、松下電器産業社の酸化亜鉛（商品名「パナテトラ（登録商標）」が挙げられる。この酸化亜鉛は、図２に示された形状を呈する。
【００４７】
三次元形状を呈する金属酸化物１６が基材樹脂中に分散することにより、中間層１０が補強される。中間層１０の成形時には、樹脂組成物が流動する。特に、中間層１０が射出成形されるときは、樹脂組成物が大幅に流動する。金属酸化物１６が三次元形状であれば、樹脂組成物が流動しても、この金属酸化物１６が配向しない。この中間層１０では、配向による耐久性の低下が生じない。この中間層１０は、ゴルフボール２の耐久性に寄与する。カバー６又は中間層１０が薄いゴルフボール２は、繰り返しの打撃により破損しやすい。三次元形状を呈する金属酸化物１６が中間層１０に分散することにより、カバー６又は中間層１０が薄いゴルフボール２であっても、破損が抑制される。
【００４８】
金属酸化物１６の針状部２２の平均長さは、５μｍ以上５０μｍ以下が好ましい。平均長さが５μｍ以上の金属酸化物１６は、中間層１０の剛性に寄与する。この観点から、平均長さは７μｍ以上がより好ましい。平均長さが５０μｍ以下である金属酸化物１６は、分散性に優れる。この観点から、平均長さは４０μｍ以下が特に好ましい。
【００４９】
金属酸化物１６の配合量が過小である場合、補強効果が不十分であり、耐久性が不十分である。配合量が過大である場合、中間層１０が脆いことに起因して、やはり耐久性が不十分である。耐久性の観点から、三次元形状を呈する金属酸化物１６の配合量は、基材樹脂１００質量部に対して０．３質量部以上が好ましく、０．５質量部以上がより好ましく、５質量部以上が特に好ましい。耐久性の観点から、配合量は２０質量部以下が好ましく、１７質量部以下がより好ましく、１５質量部以下が特に好ましい。
【００５０】
一般的な充填材の配合は、中間層１０の剛性を高め、同時に中間層１０の硬度を高める。剛性の上昇は、反発性能に寄与する。一方、硬度の上昇により、打球感が阻害される。三次元形状を呈する金属酸化物１６は補強効果が大きいので、この金属酸化物１６の配合により剛性が十分に上昇する。この金属酸化物１６の配合量が少ない場合でも、大きな反発性能が得られる。少ない配合量は、中間層１０の硬度を大幅には上昇させない。この金属酸化物１６の配合により、反発性能と打球感とが両立されうる。低い硬度は、スピンの抑制にも寄与する。
【００５１】
下記数式（Ｖ)によって算出される比Ｒは、１．０５以上が好ましい。
Ｒ＝（（Ｙｍ／Ｘｍ）／（Ｙｏ／Ｘｏ））      （Ｖ）
この数式（Ｖ)において、Ｙｍは中間層１０の樹脂組成物の曲げ剛性（ＭＰａ）を表し、Ｘｍはこの樹脂組成物のＤ硬度を表し、Ｙｏは中間層１０の基材樹脂の曲げ剛性（ＭＰａ）を表し、Ｘｏはこの基材樹脂のＤ硬度を表す。硬度Ｘｍ及び曲げ剛性Ｙｍの測定には、中間層１０の樹脂組成物と同一の樹脂組成物からなるスラブが用いられる。硬度Ｘｏ及び曲げ剛性Ｙｏの測定には、中間層１０に用いられた基材樹脂からなるスラブが用いられる。中間層１０に２以上の基材樹脂が併用された場合は、これらの樹脂のブレンドからなるスラブが用いられる。比Ｒが１．０５以上である中間層１０は、高い反発性能とソフトな打球感とに寄与する。この観点から、比Ｒは１．０６以上がより好ましく、１．０７以上が特に好ましい。比Ｒは、１．３０以下が好ましい。
【００５２】
中間層１０のＤ硬度Ｘｍは、３２以上３９以下である。Ｄ硬度が３２以上である中間層１０は、反発性能を阻害しない。この観点から、Ｄ硬度は３３以上がより好ましく、３４以上が特に好ましい。Ｄ硬度が３９以下である中間層１０は、ソフトな打球感に寄与する。さらに、Ｄ硬度が３９以下である中間層１０は、スピンを抑制する。この観点から、Ｄ硬度は３８以下がより好ましい。
【００５３】
反発性能の観点から、中間層１０の曲げ剛性Ｙｍは３０ＭＰａ以上が好ましく、３５ＭＰａ以上が特に好ましい。曲げ剛性は、６０ＭＰａ以下が好ましい。曲げ剛性は、「ＪＩＳ  Ｋ７１０６」の既定に準拠して測定される。測定には、前述の通り、中間層１０の樹脂組成物と同一の樹脂組成物からなるスラブが用いられる。このスラブは、熱プレスによって得られる。スラブの厚みは、２ｍｍである。２３℃の環境下に２週間保持されたスラブが、測定に用いられる。
【００５４】
中間層１０の厚みは、０．６ｍｍ以上１．４ｍｍ以下が好ましい。厚みＴｍが０．６ｍｍ以上である中間層１０は、ソフトな打球感に寄与しうる。この観点から、厚みＴｍは０．７ｍｍ以上がより好ましく、０．８ｍｍ以上が特に好ましい。厚みが１．４ｍｍ以下である中間層１０は、反発性能を阻害しない。この観点から、厚みＴｍは１．２ｍｍ以下がより好ましく、１．０ｍｍ以下が特に好ましい。
【００５５】
中間層１０の樹脂組成物に、比重調整等の目的で充填剤が配合されてもよい。好適な充填剤としては、酸化亜鉛、硫酸バリウム、炭酸カルシウム及び炭酸マグネシウムが例示される。充填剤として、高比重金属からなる粉末が配合されてもよい。高比重金属の具体例としては、タングステン及びモリブデンが挙げられる。充填剤の配合量は、中間層１０の意図した比重が達成されるように適宜決定される。中間層１０に、着色剤、架橋ゴム粉末又は合成樹脂粉末が配合されてもよい。
【００５６】
カバー６は、樹脂組成物からなる。樹脂組成物の好ましい基材樹脂は、アイオノマー樹脂である。中間層１０と同等のアイオノマー樹脂が、カバー６に用いられうる。アイオノマー樹脂は、ゴルフボール２の反発性能に寄与する。カバー６に、スチレンブロック含有熱可塑性エラストマー、熱可塑性ポリエステルエラストマー、熱可塑性ポリアミドエラストマー、熱可塑性ポリウレタンエラストマー又は熱可塑性ポリオレフィンエラストマーが用いられてもよい。アイオノマー樹脂と他の樹脂とが併用されてもよい。併用される場合、反発性能の観点から、アイオノマー樹脂が主成分であることが好ましい。基材樹脂全量に対するアイオノマー樹脂の比率は７０質量部以上が好ましく、８０質量部以下が好ましい。
【００５７】
カバー６のＤ硬度は、５７以上が好ましい。このカバー６は、反発性能に寄与する。反発性能の観点から、Ｄ硬度は５８以上がより好ましく、５９以上が特に好ましい。打球感の観点から、Ｄ硬度は７０以下が好ましく、６７以下がより好ましい。Ｄ硬度の測定には、カバー６の樹脂組成物と同一の樹脂組成物からなるスラブが用いられる。測定方法の詳細は、前述の通りである。
【００５８】
カバー６の厚みは、０．３ｍｍ以上１．６ｍｍ以下が好ましい。厚みが０．３ｍｍ以上であるカバー６は、飛行性能及び耐久性に寄与する。この観点から、厚みは０．５ｍｍ以上がより好ましい。厚みが１．６ｍｍ以下であるカバー６は、打球感及び反発性能を阻害しない。この観点から、厚みは１．５ｍｍ以下がより好ましく、１．３ｍｍ以下が特に好ましい。カバーが２以上の層を備えてもよい。
【００５９】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００６０】
ゴルフボール２の圧縮変形量Ｃ３は、３．２ｍｍ以上３．８ｍｍ以下が好ましい。圧縮変形量Ｃ３が３．２ｍｍ以上であるゴルフボール２は、打球感に優れる。この観点から、圧縮変形量Ｃ３は３．３ｍｍ以上がより好ましく、３．４ｍｍ以上が特に好ましい。圧縮変形量Ｃ３が３．８ｍｍ以下であるゴルフボール２は、耐久性に優れる。この観点から、圧縮変形量Ｃ３は３．７ｍｍ以下がより好ましい。
【００６１】
センター８の圧縮変形量Ｃ１とコア４の圧縮変形量Ｃ２との比（Ｃ１／Ｃ２）は、１．０９未満が好ましい。比（Ｃ１／Ｃ２）が上記範囲であるゴルフボール２では、中間層１０が比較的柔らかい。このゴルフボール２は、打球感に優れる。打球感の観点から、比（Ｃ１／Ｃ２）は１．０８未満がより好ましい。比（Ｃ１／Ｃ２）は、１．０３以上が好ましい。なお、コア４の圧縮変形量Ｃ２は３．４ｍｍ以上４．８ｍｍ以下が好ましい。
【００６２】
センターの圧縮変形量Ｃ１とゴルフボールの圧縮変形量Ｃ３との比（Ｃ１／Ｃ３）は、１．１８以上が好ましい。比（Ｃ１／Ｃ３）が上記範囲であるゴルフボール２では、打撃時のエネルギーがセンター８に十分に伝わる。さらに、比（Ｃ１／Ｃ３）が上記範囲であるゴルフボール２は、打球感に優れる。この観点から、比（Ｃ１／Ｃ３）は１．１９以上がより好ましく、１．２０以上が特に好ましい。
【００６３】
図３は、図１のゴルフボール２が示された拡大平面図である。この図３では、ゴルフボール２の表面が４つに区画されて得られる１つのユニットに関し、符号ＡからＨによりディンプル１２の種類が示されている。このゴルフボール２は、直径が４．６０ｍｍであるディンプルＡと、直径が４．４５ｍｍであるディンプルＢと、直径が４．３０ｍｍであるディンプルＣと、直径が４．２０ｍｍであるディンプルＤと、直径が４．１０ｍｍであるディンプルＥと、直径が３．９０ｍｍであるディンプルＦと、直径が３．２０ｍｍであるディンプルＧと、直径が３．００ｍｍであるディンプルＨとを備えている。ディンプルＡの個数は７０個であり、ディンプルＢの個数は８８個であり、ディンプルＣの個数は５６個であり、ディンプルＤの個数は２６個であり、ディンプルＥの個数は４２個であり、ディンプルＦの個数は２０個であり、ディンプルＧの個数は１８個であり、ディンプルＨの個数は８個である。ディンプル１２の総数は、３２８個である。
【００６４】
図４は、図３のゴルフボール２が示された正面図である。この図４には、第一緯線Ｌ１が画かれている。この第一緯線Ｌ１の緯度は、０°である。この第一緯線Ｌ１は、赤道でもある。この図４から明らかなように、第一緯線Ｌ１はディンプル１２と交差している。このゴルフボール２は、上型と下型とのパーティングラインがジグザグ状である成形型によって得られうる。第一緯線Ｌ１がディンプルと交差することにより、赤道近傍のディンプル効果が高められうる。第一緯線Ｌ１がディンプル１２と交差しなくてもよい。ゴルフボール２の表面は、第一緯線Ｌ１を境界として、北半球２４と南半球２６とに区画されている。この図４において符号Ｐで示されているのは、極点である。一方の極点Ｐから他方の極点Ｐへ向かう方向は、成形型の開閉方向である。
【００６５】
図５は、図４のゴルフボール２の一部が示された拡大図である。この図５には、北半球２４が示されている。この図５には、第一緯線Ｌ１、第二緯線Ｌ２、第三緯線Ｌ３、第四緯線Ｌ４、第五緯線Ｌ５、第六緯線Ｌ６、第七緯線Ｌ７、第八緯線Ｌ８及び第九緯線Ｌ９が示されている。第一緯線Ｌ１の緯度は０°であり、第二緯線Ｌ２の緯度は１０°であり、第三緯線Ｌ３の緯度は２０°であり、第四緯線Ｌ４の緯度は３０°であり、第五緯線Ｌ５の緯度は４０°であり、第六緯線Ｌ６の緯度は５０°であり、第七緯線Ｌ７の緯度は６０°であり、第八緯線Ｌ８の緯度は７０°であり、そして、第九緯線Ｌ９の緯度は８０°である。
【００６６】
第一緯線Ｌ１と第二緯線Ｌ２とに囲まれた領域は、第一領域Ｚ１である。第二緯線Ｌ２の線上は、第一領域Ｚ１には含まれない。第一領域Ｚ１の緯度は、０°以上１０°未満である。第二緯線Ｌ２と第三緯線Ｌ３とに囲まれた領域は、第二領域Ｚ２である。第三緯線Ｌ３の線上は、第二領域Ｚ２には含まれない。第二領域Ｚ２の緯度は、１０°以上２０°未満である。第三緯線Ｌ３と第四緯線Ｌ４とに囲まれた領域は、第三領域Ｚ３である。第四緯線Ｌ４の線上は、第三領域Ｚ３には含まれない。第三領域Ｚ３の緯度は、２０°以上３０°未満である。第四緯線Ｌ４と第五緯線Ｌ５とに囲まれた領域は、第四領域Ｚ４である。第五緯線Ｌ５の線上は、第四領域Ｚ４には含まれない。第四領域Ｚ４の緯度は、３０°以上４０°未満である。第五緯線Ｌ５と第六緯線Ｌ６とに囲まれた領域は、第五領域Ｚ５である。第六緯線Ｌ６の線上は、第五領域Ｚ５には含まれない。第五領域Ｚ５の緯度は、４０°以上５０°未満である。第六緯線Ｌ６と第七緯線Ｌ７とに囲まれた領域は、第六領域Ｚ６である。第七緯線Ｌ７の線上は、第六領域Ｚ６には含まれない。第六領域Ｚ６の緯度は、５０°以上°６０未満である。第七緯線Ｌ７と第八緯線Ｌ８とに囲まれた領域は、第七領域Ｚ７である。第八緯線Ｌ８の線上は、第七領域Ｚ７には含まれない。第七領域Ｚ７の緯度は、６０°以上７０°未満である。第八緯線Ｌ８と第九緯線Ｌ９とに囲まれた領域は、第八領域Ｚ８である。第九緯線Ｌ９の線上は、第八領域Ｚ８には含まれない。第八領域Ｚ８の緯度は、７０°以上８０°未満である。第九緯線Ｌ９に囲まれた領域は、第九領域Ｚ９である。第九領域Ｚ９の緯度は、８０°以上９０°以下である。図示されていないが、南半球２６も、北半球２４と同様に第一から第九の領域を備えている。
【００６７】
北半球２４は、低緯度領域ＺＬと高緯度領域ＺＨとに区画されうる。低緯度領域ＺＬと高緯度領域ＺＨの区画線は、第四緯線Ｌ４である。低緯度領域ＺＬには、第一領域Ｚ１、第二領域Ｚ２及び第三領域Ｚ３が含まれる。低緯度領域ＺＬの緯度は、０°以上３０°未満である。高緯度領域ＺＨには、第四領域Ｚ４、第五領域Ｚ５、第六領域Ｚ６、第七領域Ｚ７、第八領域Ｚ８及び第九領域Ｚ９が含まれる。高緯度領域ＺＨの緯度は、３０°以上９０°以下である。仮想球において、低緯度領域ＺＬの表面積は高緯度領域ＺＨの表面積に等しい。図示されていないが、南半球２６も、北半球２４と同様に、低緯度領域ＺＬ及び高緯度領域ＺＨを備えている。
【００６８】
高緯度領域ＺＨは、中間領域ＺＨｍと極領域ＺＨｐとに区画されうる。中間領域ＺＨｍと極領域ＺＨｐとの区画線は、第七緯線Ｌ７である。中間領域ＺＨｍには、第四領域Ｚ４、第五領域Ｚ５及び第六領域Ｚ６が含まれる。中間領域ＺＨｍの緯度は、３０°以上６０°未満である。極領域ＺＨｐには、第七領域Ｚ７、第八領域Ｚ８及び第九領域Ｚ９が含まれる。極領域ＺＨｐの緯度は、６０°以上９０°以下である。図示されていないが、南半球２６も、北半球２４と同様に、中間領域ＺＨｍ及び極領域ＺＨｐを備えている。
【００６９】
図６は、図１のゴルフボール２の一部が示された拡大断面図である。この図６には、ディンプル１２の最深部及びゴルフボール２の中心を通過する平面に沿った断面が示されている。図６における上下方向は、ディンプル１２の深さ方向である。図６において二点鎖線２８で示されているのは、仮想球である。ディンプル１２は、仮想球２８から凹陥している。ランド１４は、仮想球２８と一致している。
【００７０】
図６において両矢印Ｄｉで示されているのは、ディンプル１２の直径である。この直径Ｄｉは、ディンプル１２の両側に共通の接線Ｔが画かれたときの、一方の接点Ｅｄと他方の接点Ｅｄとの距離である。接点Ｅｄは、ディンプル１２のエッジでもある。エッジＥｄは、ディンプル１２の輪郭を画定する。非円形ディンプルの場合、その輪郭形状の面積と同一の面積を有する円が想定され、その円の直径が非円形ディンプルの直径とされる。
【００７１】
以下に、ディンプル１２の種類数が定義される。
Ｎ１：第一領域Ｚ１に存在しかつその直径が３．４０ｍｍ以上であるディンプル１２の      種類数
Ｎ２：第二領域Ｚ２に存在しかつその直径が３．４０ｍｍ以上であるディンプル１２の      種類数
Ｎ３：第三領域Ｚ３に存在しかつその直径が３．４０ｍｍ以上であるディンプル１２の      種類数
Ｎ４：第四領域Ｚ４に存在しかつその直径が３．４０ｍｍ以上であるディンプル１２の      種類数
Ｎ５：第五領域Ｚ５に存在しかつその直径が３．４０ｍｍ以上であるディンプル１２の      種類数
Ｎ６：第六領域Ｚ６に存在しかつその直径が３．４０ｍｍ以上であるディンプル１２の      種類数
Ｎ７：第七領域Ｚ７に存在しかつその直径が３．４０ｍｍ以上であるディンプル１２の      種類数
Ｎ８：第八領域Ｚ８に存在しかつその直径が３．４０ｍｍ以上であるディンプル１２の      種類数
Ｎ９：第九領域Ｚ９に存在しかつその直径が３．４０ｍｍ以上であるディンプル１２の      種類数
ＮＬ：低緯度領域ＺＬに存在しかつその直径が３．４０ｍｍ以上であるディンプル１２      の種類数
ＮＨ：高緯度領域ＺＨに存在しかつその直径が３．４０ｍｍ以上であるディンプル１２      の種類数
ＮＨｍ：中間領域ＺＨｍに存在しかつその直径が３．４０ｍｍ以上であるディンプル１      ２の種類数
ＮＨｐ：極領域ＺＨｐに存在しかつその直径が３．４０ｍｍ以上であるディンプル１２      の種類数
種類数の決定において、直径が３．４０ｍｍ未満のディンプル１２は考慮されない。その理由は、直径が小さなディンプル１２がディンプル効果に与える影響が小さいからである。
【００７２】
北半球２４の第一領域Ｚ１及び南半球２６の第一領域Ｚ１のそれぞれは、１２個のディンプルＢと、９個のディンプルＣと、３個のディンプルＤと、６個のディンプルＦとを含んでいる。第一領域Ｚ１の種類数Ｎ１は、４である。
【００７３】
北半球２４の第二領域Ｚ２及び南半球２６の第二領域Ｚ２のそれぞれは、６個のディンプルＢと、１２個のディンプルＣと、８個のディンプルＤと、４個のディンプルＦを含んでいる。第二領域Ｚ２の種類数Ｎ２は、４である。
【００７４】
北半球２４の第三領域Ｚ３及び南半球２６の第三領域Ｚ３はそれぞれ、６個のディンプルＢと、７個のディンプルＣと、２個のディンプルＤと、６個のディンプルＥと、４個のディンプルＧと、３個のディンプルＨとを含んでいる。第三領域Ｚ３の種類数Ｎ３は、４である。種類数Ｎ３のカウントにおいて、ディンプルＧ及びディンプルＨは考慮されない。
【００７５】
北半球２４の第四領域Ｚ４及び南半球２６の第四領域Ｚ４はそれぞれ、２０個のディンプルＢと、５個のディンプルＥとを含んでいる。第四領域Ｚ４の種類数Ｎ４は、２である。
【００７６】
北半球２４の第五領域Ｚ５及び南半球２６の第五領域Ｚ５はそれぞれ、１５個のディンプルＡを含んでいる。第五領域Ｚ５の種類数Ｎ５は、１である。
【００７７】
北半球２４の第六領域Ｚ６及び南半球２６の第六領域Ｚ６はそれぞれ、１０個のディンプルＡを含んでいる。第六領域Ｚ６の種類数Ｎ６は、１である。
【００７８】
北半球２４の第七領域Ｚ７及び南半球２６の第七領域Ｚ７はそれぞれ、１０個のディンプルＡを含んでいる。第七領域Ｚ７の種類数Ｎ７は、１である。
【００７９】
北半球２４の第八領域Ｚ８及び南半球２６の第八領域Ｚ８はそれぞれ、１０個のディンプルＥを含んでいる。第八領域Ｚ８の種類数Ｎ８は、１である。
【００８０】
北半球２４の第九領域Ｚ９及び南半球２６の第九領域Ｚ９はそれぞれ、５個のディンプルＧと、１個のディンプルＨとを含んでいる。第九領域Ｚ９の種類数Ｎ９は、０である。種類数Ｎ９のカウントにおいて、ディンプルＧ及びディンプルＨは考慮されない。
【００８１】
北半球２４の低緯度領域ＺＬ及び南半球２６の低緯度領域ＺＬはそれぞれ、２４個のディンプルＢと、２８個のディンプルＣと、１３個のディンプルＤと、６個のディンプルＥと、１０個のディンプルＦと、４個のディンプルＧと、３個のディンプルＨとを含んでいる。低緯度領域ＺＬの種類数ＮＬは、５である。種類数ＮＬのカウントにおいて、ディンプルＧ及びディンプルＨは考慮されない。
【００８２】
北半球２４の高緯度領域ＺＨ及び南半球２６の高緯度領域ＺＨはそれぞれ、３５個のディンプルＡと、２０個のディンプルＢと、１５個のディンプルＥと、５個のディンプルＨと、１個のディンプルＧを含んでいる。高緯度領域ＺＨの種類数ＮＨは、３である。種類数ＮＨのカウントにおいて、ディンプルＧ及びディンプルＨは考慮されない。
【００８３】
北半球２４の中間領域ＺＨｍ及び南半球２６の中間領域ＺＨｍはそれぞれ、２５個のディンプルＡと、２０個のディンプルＢと、５個のディンプルＥを含んでいる。中間領域ＺＨｍの種類数ＮＨｍは、３である。
【００８４】
北半球２４の極領域ＺＨｐ及び南半球２６の極領域ＺＨｐはそれぞれ、１０個のディンプルＡと、１０個のディンプルＥと、５個のディンプルＧと、１個のディンプルＨとを含んでいる。極領域ＺＨｐの種類数ＮＨｐは、２である。種類数ＮＨｐのカウントにおいて、ディンプルＧ及びディンプルＨは考慮されない。
【００８５】
本発明では、境界線を跨いで存在するディンプル１２の帰属は、その中心（面積重心）の位置によって決定される。例えば、第二緯線Ｌ２と交差し、かつ中心の緯度が０°以上１０°未満であるディンプル１２は、第二領域Ｚ２ではなく、第一領域Ｚ１に帰属する。
【００８６】
このゴルフボール２は、上記数式（Ｉ）を満たす。換言すれば、低緯度領域ＺＬの種類数ＮＬは、高緯度領域ＺＨの種類数ＮＨと同一か、又は種類数ＮＨよりも大きい。このゴルフボール２は、上記数式（II）を満たす。換言すれば、低緯度領域ＺＬの種類数ＮＬは、中間領域ＺＨｍの種類数ＮＨｍよりも大きく、かつ極領域ＺＨｐの種類数ＮＨｐよりも大きい。さらに、中間領域ＺＨｍの種類数ＮＨｍは、極領域ＺＨｐの種類数ＮＨｐと同一か、又は種類数ＮＨｐよりも大きい。このゴルフボール２では、種類数に偏りが存在する。このゴルフボール２では、赤道の近傍において、種類数が大きい。赤道の近傍は、ディンプルが整然と並びやすい。整然とした配置は、ディンプル効果を阻害する。本発明に係るゴルフボール２では、多数の種類のディンプル１２が赤道の近傍に配置されるので、ディンプル１２が整然と並びにくい。しかもこのゴルフボール２では、ディンプル１２の中心が直線上に並んだときでも、その輪郭は整然と並ばない。種類数が多いことは、赤道近傍のディンプル効果を補う。このゴルフボール２では、大きな飛距離が得られる。
【００８７】
ディンプル効果の観点から、種類数ＮＬと種類数ＮＨとの差（ＮＬ−ＮＨ）は１以上がより好ましく、２以上が特に好ましい。図３から図５に示されたゴルフボール２では、種類数ＮＬは５であり、種類数ＮＨは３である。従って、差（ＮＬ−ＮＨ）は２である。
【００８８】
ディンプル効果の観点から、種類数ＮＬと種類数ＮＨｍとの差（ＮＬ−ＮＨｍ）は２以上がより好ましい。図３から図５に示されたゴルフボール２では、種類数ＮＬは５であり、種類数ＮＨｍは３である。従って、差（ＮＬ−ＮＨｍ）は２である。
【００８９】
ディンプル効果の観点から、種類数ＮＬと種類数ＮＨｐとの差（ＮＬ−ＮＨｐ）は２以上がより好ましく、３以上が特に好ましい。図３から図５に示されたゴルフボール２では、種類数ＮＬは５であり、種類数ＮＨｐは２である。従って、差（ＮＬ−ＮＨｐ）は３である。
【００９０】
ディンプル効果の観点から、ゴルフボール２が上記数式（III)を満たすことが好ましい。換言すれば、種類数ＮＨｍと種類数ＮＨｐの差（ＮＨｍ−ＮＨｐ）は１以上が好ましい。図３から図５に示されたゴルフボール２では、種類数ＮＨｍは３であり、種類数ＮＨｐは２である。従って、差（ＮＨｍ−ＮＨｐ）は１である。
【００９１】
ディンプル効果の観点から、ゴルフボール２が上記数式（IV）を満たすことが好ましい。図３から図５に示されたゴルフボール２では、種類数Ｎ１は４であり、種類数Ｎ２は４であり、種類数Ｎ３は４であり、種類数Ｎ４は２であり、種類数Ｎ５は１であり、種類数Ｎ６は１であり、種類数Ｎ７は１であり、種類数Ｎ８は１であり、種類数Ｎ９は０である。このゴルフボール２は、下記数式（VI）を満たす。
Ｎ１ ＝ Ｎ２ ＝ Ｎ３ ＞ Ｎ４ ＞ Ｎ５ ＝ Ｎ６ ＝ Ｎ７ ＝ Ｎ８ ＝ Ｎ９    （VI）
従って、このゴルフボール２は上記数式（IV）を満たす。ゴルフボール２が下記数式(VII）を満たすことがより好ましい。
Ｎ１ ≧ Ｎ２ ≧ Ｎ３ ＞ Ｎ４ ≧ Ｎ５ ≧ Ｎ６ ＞ Ｎ７ ≧ Ｎ８ ≧ Ｎ９    （VII）
【００９２】
低緯度領域ＺＬのディンプル１２の数は、８８個である。低緯度領域ＺＬにおいて、ディンプルＢの数は２４個であり、このディンプルＢの数比率は２７．３％である。ディンプルＣの数は２８個であり、このディンプルＣの数比率は３１．８％である。ディンプルＤの数は１３個であり、このディンプルＤの数比率は１４．８％である。ディンプルＥの数は６個であり、このディンプルＥの数比率は６．８％である。ディンプルＦの数は１０個であり、このディンプルＦの数比率は１１．４％である。ディンプル効果の観点から、低緯度領域ＺＬに含まれかつ直径が３．４０ｍｍ以上であるディンプル１２の、種類毎の数比率は、いずれも５％以上が好ましい。
【００９３】
高緯度領域ＺＨのディンプル１２の数は、７６個である。高緯度領域ＺＨにおいて、ディンプルＡの数は３５個であり、このディンプルＡの数比率は４６．１％である。ディンプルＢの数は２０個であり、このディンプルＢの数比率は２６．３％である。ディンプルＥの数は１５個であり、このディンプルＥの数比率は１９．７％である。ディンプル効果の観点から、高緯度領域ＺＨに含まれかつ直径が３．４０ｍｍ以上であるディンプル１２の、種類毎の数比率は、いずれも５％以上が好ましい。
【００９４】
中間領域ＺＨｍのディンプル１２の数は、５０個である。中間領域ＺＨｍにおいて、ディンプルＡの数は２５個であり、このディンプルＡの数比率は５０．０％である。ディンプルＢの数は２０個であり、このディンプルＢの数比率は４０．０％である。ディンプルＥの数は５個であり、このディンプルＥの数比率は１０．０％である。ディンプル効果の観点から、中間領域ＺＨｍに含まれかつ直径が３．４０ｍｍ以上であるディンプル１２の、種類毎の数比率は、いずれも５％以上が好ましい。
【００９５】
極領域ＺＨｐのディンプル１２の数は、２６個である。極領域ＺＨｐにおいて、ディンプルＡの数は１０個であり、このディンプルＡの数比率は３８．５％である。ディンプルＥの数は１０個であり、このディンプルＥの数比率は３８．５％である。ディンプル効果の観点から、極領域ＺＨｐに含まれかつ直径が３．４０ｍｍ以上であるディンプル１２の、種類毎の数比率は、いずれも５％以上が好ましい。
【００９６】
低緯度領域ＺＬに存在しかつその直径が３．４０ｍｍ以上であるディンプル１２が直径の大きい順に列べられたときの、上位１０％のディンプル１２の平均直径Ｄｘと下位１０％のディンプル１２の平均直径Ｄｎとの比（Ｄｘ／Ｄｎ）は、１．１０以上が好ましい。比（Ｄｘ／Ｄｎ）が１．１０以上に設定されることにより、赤道近傍において大きなディンプル効果が得られる。この観点から、比（Ｄｘ／Ｄｎ）は１．１２以上がより好ましく１．１４以上が特に好ましい。比（Ｄｘ／Ｄｎ）は、１．８０以下が好ましい。図３から図５に示されたゴルフボール２では、低緯度領域ＺＬは、２４個のディンプルＢと１０個のディンプルＦとを備えている。低緯度領域ＺＬにおける直径が３．４０ｍｍ以上のディンプル１２の数は８１個なので、８個のディンプルＢが上位１０％のディンプル１２に相当し、８個のディンプルＦが下位１０％のディンプル１２に相当する。従って、比（Ｄｘ／Ｄｎ）は１．１４である。
【００９７】
十分なディンプル効果が得られるとの観点から、ディンプル１２の総数は３００個以上が好ましく、３１０個以上がより好ましく、３２０個以上が特に好ましい。個々のディンプル１２が十分な直径を備えうるとの観点から、総数は５００個以下が好ましく、４８０個以下がより好ましく、４６０個以下が特に好ましい。
【００９８】
ディンプル効果の観点から、ディンプル１２の総数に対するその直径が３．４０ｍｍ以上であるディンプル１２の数の比率Ｐｎは、９０％以上が好ましく、９２％以上が特に好ましい。この比率Ｐｎは、理想的には１００％である。図３から図５に示されたゴルフボール２では、この比率Ｐｎは９２．１％である。
【００９９】
本発明に係るゴルフボール２は、互いに直径の異なる３種以上のディンプル１２を備えている。種類数が３以上に設定されることにより、大きなディンプル効果が得られる。この観点から、種類数は４以上が好ましく、５以上が特に好ましい。製造の容易の観点から、種類数は１６以下が好ましい。図３から図５に示されたゴルフボール２は、ＡからＨの８種類のディンプル１２を備えている。
【０１００】
ディンプル効果の観点から、直径が３．４０ｍｍ以上であるディンプル１２の種類数は３以上が好ましく、４以上がより好ましく、５以上が特に好ましい。製造の容易の観点から、直径が３．４０ｍｍ以上であるディンプル１２の種類数は１６以下が好ましい。図３から図５に示されたゴルフボール２は、ＡからＦの６種類の、直径が３．４０ｍｍ以上であるディンプル１２を備えている。
【０１０１】
一方のディンプル１２の直径が他方のディンプル１２の直径と同等であり、一方のディンプル１２の深さが他方のディンプル１２の深さと異なる場合、両者は同一種類である。一方のディンプル１２の直径が他方のディンプル１２の直径と同等であり、一方のディンプル１２の断面形状が他方のディンプル１２の断面形状と異なる場合、両者は同一種類である。
【０１０２】
製造誤差及び測定誤差に起因して、直径の実測値はばらつく。本発明では、直径の実測値と設計値との差が±０．０５ｍｍ未満であるディンプル１２は、設計値の直径を備えたディンプル１２とされる。本発明では、ディンプル１２の直径は、塗料が塗布されていないゴルフボール２において測定される。塗装層が除去された後のゴルフボール２において、直径が測定されてもよい。
【０１０３】
ディンプル効果の観点から、直径が３．４０ｍｍ未満であるディンプル１２の直径は２．０ｍｍ以上が好ましく、２．５０ｍｍ以上がより好ましく、３．００ｍｍ以上が特に好ましい。ディンプル効果の観点から、直径が３．４０ｍｍ以上であるディンプル１２の直径は３．６０ｍｍ以上が好ましく、３．８ｍｍ以上がより好ましい。直径は、６．００ｍｍ以下が好ましい。直径が６．００ｍｍ以下に設定されることにより、実質的に球であるというゴルフボール２の本来的特徴が維持される。この観点から、直径は５．８０ｍｍ以下がより好ましく、５．６０ｍｍ以下が特に好ましい。
【０１０４】
ディンプル１２の面積ｓは、無限遠からゴルフボール２の中心を見た場合の、輪郭線に囲まれた領域の面積である。円形ディンプル１２の場合、面積ｓは下記数式によって算出される。
s = (Di / 2)２ ・ π
図３から図５に示されたゴルフボール２では、ディンプルＡの面積は１６．６２ｍｍ２であり、ディンプルＢの面積は１５．５５ｍｍ２であり、ディンプルＣの面積は１４．５２ｍｍ２であり、ディンプルＤの面積は１３．８５ｍｍ２であり、ディンプルＥの面積は１３．２０ｍｍ２であり、ディンプルＦの面積は１１．９５ｍｍ２であり、ディンプルＧの面積は８．０４ｍｍ２であり、ディンプルＨの面積は７．０７ｍｍ２である。
【０１０５】
本発明では、全てのディンプル１２の面積ｓの合計の、仮想球２８の表面積に対する比率は、占有率と称される。十分なディンプル効果が得られるとの観点から、占有率は７０％以上が好ましく、７２％以上がより好ましく、７４％以上が特に好ましい。占有率は、８８％以下が好ましく、８６％以下がより好ましい。図３から図５に示されたゴルフボール２では、ディンプル１２の合計面積は４７００．２ｍｍ２である。このゴルフボール２の仮想球２８の表面積は５７２８．０ｍｍ２なので、占有率は８２．１％である。
【０１０６】
本発明において「ディンプルの容積」とは、ディンプル１２の輪郭を含む平面とディンプル１２の表面とに囲まれた部分の容積を意味する。ゴルフボール２のホップが抑制されるとの観点から、ディンプル１２の総容積は２５０ｍｍ３以上が好ましく、２６０ｍｍ３以上がより好ましく、２７０ｍｍ３以上が特に好ましい。ゴルフボール２のドロップが抑制されるとの観点から、総容積は４００ｍｍ３以下が好ましく、３９０ｍｍ３以下がより好ましく、３８０ｍｍ３以下が特に好ましい。
【０１０７】
ゴルフボール２のホップが抑制されるとの観点から、ディンプル１２の深さは０．０５ｍｍ以上が好ましく、０．０８ｍｍ以上がより好ましく、０．１０ｍｍ以上が特に好ましい。ゴルフボール２のドロップが抑制されるとの観点から、深さは０．６０ｍｍ以下が好ましく、０．４５ｍｍ以下がより好ましく、０．４０ｍｍ以下が特に好ましい。深さは、接線Ｔとディンプル１２の最深部との距離である。
【実施例】
【０１０８】
以下、実施例によって本発明の効果が明らかにされるが、この実施例の記載に基づいて本発明が限定的に解釈されるべきではない。
【０１０９】
［実施例１］
１００質量部のハイシスポリブタジエン（ジェイエスアール社の商品名「ＢＲ−７３０」）、２４．０質量部のアクリル酸亜鉛、１０質量部の酸化亜鉛、適量の硫酸バリウム、０．５質量部のジフェニルジスルフィド（住友精化社）及び０．８質量部のジクミルパーオキサイド（日本油脂社）を混練し、ゴム組成物（ａ）を得た。このゴム組成物（ａ）を共に半球状キャビティを備えた上型及び下型からなる金型に投入し、１７０℃で２０分間加熱して、直径が３８．０ｍｍのセンターを得た。一方、２８質量部のアイオノマー樹脂（デュポン社の商品名「サーリン８９４５」）、２７質量部の他のアイオノマー樹脂（デュポン社の商品名「サーリン９９４５」）、４５質量部のスチレンブロック含有熱可塑性エラストマー（三菱化学社の商品名「ラバロンＴ３２２１Ｃ」）、１．０質量部の三次元形状を呈する酸化亜鉛（松下電器産業社の商品名「パナテトラＷＺ−０５０１」）、３．０質量部の二酸化チタン及び０．０４質量部のウルトラマリンブルーを二軸混練押出機で混練し、樹脂組成物（ｆ）を得た。この酸化亜鉛は、図２に示された形状を呈する。この酸化亜鉛の針状部の平均長さは、１０μｍである。この樹脂組成物（ｆ）を射出成形法にてセンターの周りに被覆し、センター及び中間層からなるコアを得た。中間層の厚みは、１．４ｍｍであった。さらに、５２質量部のアイオノマー樹脂（前述の商品名「サーリン８９４５」）、４０質量部の他のアイオノマー樹脂（前述の商品名「サーリン９９４５」）、８質量部のスチレンブロック含有熱可塑性エラストマー（前述の商品名「ラバロンＴ３２２１Ｃ」）、２質量部の二酸化チタン及び０．０４質量部のウルトラマリンブルーを二軸混練押出機で混練し、樹脂組成物（ｊ）を得た。上記コアを、内周面に多数のピンプルを備えたファイナル金型に投入し、コアの周囲に上記樹脂組成物（ｊ）を射出成形法により注入して、カバーを成形した。カバーの厚みは、１．４ｍｍであった。カバーには、ピンプルの形状が反転した形状のディンプルが多数形成された。このカバーに、二液硬化型ポリウレタンを基材とするクリアー塗料を塗装し、直径が４２．８ｍｍであり質量が約４５．４ｇである実施例１のゴルフボールを得た。このゴルフボールは、図３から図５に示されたディンプルパターンを有する。ディンプルの仕様の詳細が、下記の表４に示されている。ディンプルの分布が、下記の表６に示されている。
【０１１０】
［実施例２から３］
センターの仕様を下記の表８に示される通りとした他は実施例１と同様にして、実施例２から３のゴルフボールを得た。センターの仕様の詳細が、下記の表１に示されている。
【０１１１】
［比較例１］
中間層の仕様を下記の表８に示される通りとした他は実施例１と同様にして、比較例１のゴルフボールを得た。中間層の仕様の詳細が、下記の表２に示されている。
【０１１２】
［比較例２から７］
ディンプルの仕様を下記の表８から１０に示される通りとした他は実施例１と同様にして、比較例２から７のゴルフボールを得た。ディンプルの仕様の詳細が、下記の表４及び５に示されている。ディンプルの分布が、下記の表６及び７に示されている。
【０１１３】
［比較例８］
センター及びカバーの仕様を下記の表１０に示される通りとした他は実施例１と同様にして、比較例８のゴルフボールを得た。センターの仕様の詳細が、下記の表１に示されている。カバーの仕様の詳細が、下記の表３に示されている。
【０１１４】
［比較例９から１０］
センター及び中間層の仕様を下記の表１０に示される通りとした他は実施例１と同様にして、比較例９から１０のゴルフボールを得た。センターの仕様の詳細が、下記の表１に示されている。中間層の仕様の詳細が、下記の表２に示されている。
【０１１５】
【表１】
0004448123.tif 000002
【０１１６】
【表２】
0004448123.tif 000003
【０１１７】
【表３】
0004448123.tif 000004
【０１１８】
【表４】
0004448123.tif 000005
【０１１９】
【表５】
0004448123.tif 000006
【０１２０】
【表６】
0004448123.tif 000007
【０１２１】
【表７】
0004448123.tif 000008
【０１２２】
［打球感の評価］
ゴルファーにドライバーでゴルフボールを打撃させ、打球感について下記の通りに格付けさせた。
Ａ：極めて良好
Ｂ：良好
Ｃ：不良
この結果が、下記の表８から１０に示されている。
【０１２３】
［飛距離テスト］
ツルテンパー社のスイングマシンに、チタンヘッドを備えたドライバー（ＳＲＩスポーツ社の商品名「ＸＸＩＯ」、シャフト硬度：Ｓ、ロフト角：１０°）を装着した。ヘッド速度が４５ｍ／ｓｅｃである条件でゴルフボールを打撃して、発射地点から静止地点までの距離を測定した。１０回測定されて得られたデータの平均値が、下記の表８から１０に示されている。
【０１２４】
【表８】
0004448123.tif 000009
【０１２５】
【表９】
0004448123.tif 000010
【０１２６】
【表１０】
0004448123.tif 000011
【０１２７】
表８から１０に示されるように、実施例のゴルフボールは、打球感及び飛行性能の両方に優れている。この評価結果から、本発明の優位性は明らかである。
【産業上の利用可能性】
【０１２８】
本発明に係るゴルフボールは、ゴルフ場でのプレーや、ドライビングレンジにおける練習に用いられうる。
【図面の簡単な説明】
【０１２９】
【図１】図１は、本発明の一実施形態に係るゴルフボールが示された模式的断面図である。
【図２】図２は、図１のゴルフボールの中間層に配合された金属酸化物が示された斜視図である。
【図３】図３は、図１のゴルフボールが示された拡大平面図である。
【図４】図４は、図３のゴルフボールが示された正面図である。
【図５】図５は、図４のゴルフボールの一部が示された拡大図である。
【図６】図６は、図１のゴルフボールの一部が示された拡大断面図である。
【図７】図７は、比較例２のゴルフボールが示された平面図である。
【図８】図８は、比較例３のゴルフボールが示された平面図である。
【図９】図９は、比較例４のゴルフボールが示された平面図である。
【図１０】図１０は、比較例５のゴルフボールが示された平面図である。
【図１１】図１１は、比較例６のゴルフボールが示された平面図である。
【図１２】図１２は、比較例７のゴルフボールが示された平面図である。
【符号の説明】
【０１３０】
２・・・ゴルフボール
４・・・コア
６・・・カバー
８・・・センター
１０・・・中間層
１２・・・ディンプル
１４・・・ランド
１６・・・金属酸化物
２２・・・針状部
２４・・・北半球
２６・・・南半球
２８・・・仮想球
Ｌ１・・・第一緯線
Ｌ２・・・第二緯線
Ｌ３・・・第三緯線
Ｌ４・・・第四緯線
Ｌ５・・・第五緯線
Ｌ６・・・第六緯線
Ｌ７・・・第七緯線
Ｌ８・・・第八緯線
Ｌ９・・・第九緯線
Ｐ・・・極点
Ｚ１・・・第一領域
Ｚ２・・・第二領域
Ｚ３・・・第三領域
Ｚ４・・・第四領域
Ｚ５・・・第五領域
Ｚ６・・・第六領域
Ｚ７・・・第七領域
Ｚ８・・・第八領域
Ｚ９・・・第九領域
ＺＬ・・・低緯度領域
ＺＨ・・・高緯度領域
ＺＨｍ・・・中間領域
ＺＨｐ・・・極領域
【図１】
0004448123.tif 000012
【図２】
0004448123.tif 000013
【図３】
0004448123.tif 000014
【図４】
0004448123.tif 000015
【図５】
0004448123.tif 000016
【図６】
0004448123.tif 000017
【図７】
0004448123.tif 000018
【図８】
0004448123.tif 000019
【図９】
0004448123.tif 000020
【図１０】
0004448123.tif 000021
【図１１】
0004448123.tif 000022
【図１２】
0004448123.tif 000023